(57)【要約】【課題】ダンパ部材３０に衝突した中間サポート２０Ａ、２０Ｂを該ダンパ部材３０に対して係止させることにより、中間サポート２０Ａ、２０Ｂが反対方向に跳ね返ってねじ軸１上の所定位置に位置決めされたナット２に衝突しないようにして該ナット２の振動を阻止し、該ナット２のねじ軸１上の位置決め精度を向上させることにある。【解決手段】各軸受５のそれぞれにはダンパ部材３０が設けられていると共に、中間サポート２０Ａ、２０Ｂのダンパ部材３０側には係止部材４０が設けられ、中間サポート２０Ａ、２０Ｂの一方又は他方が、ねじ軸１の軸方向に移動した場合に、前記係止部材４０を介して上記一方又は他方の中間サポート２０Ａ又は２０Ｂを上記対応する一方又は他方のダンパ部材３０に係止させるようにした。【選択図】 図１
2013221553.tif 000002
【特許請求の範囲】
【請求項１】
両端が軸受を介して回転自在に支持されたねじ軸にナットが螺合され、該ナットの軸方向の両側には、連結部材で連結された一対の中間サポートが該ナットの移動距離よりも短い距離を隔てて配設されていてナットに押圧されてねじ軸の軸方向に移動するボールねじ装置において、
上記各軸受のそれぞれにはダンパ部材が設けられていると共に、上記中間サポートのダンパ部材側には係止部材が設けられ、
中間サポートの一方又は他方が、ねじ軸の軸方向に移動した場合に、前記係止部材を介して上記一方又は他方の中間サポートを上記対応する一方又は他方のダンパ部材に係止させるようにしたことを特徴とするボールねじ装置。
【請求項２】
上記ダンパ部材には矩形又は楔形の切欠部が設けられていると共に、上記中間サポートにはダンパ部材側の切欠部に対応した位置に楔形又は矩形の係止部材が設けられている請求項１記載のボールねじ装置。
【請求項３】
上記ダンパ部材には磁石が内蔵された開口部が設けられていると共に、上記中間サポートにはダンパ部材側の開口部に対応した位置に係止部材を構成する磁石が設けられ、又はダンパ部材側若しくは中間サポート側の磁石は残したままで、相手方の中間サポート側若しくはダンパ部材側の磁石を磁性体に変える請求項１記載のボールねじ装置。
【請求項４】
上記中間サポート側の磁石又は磁性体がダンパ部材側の開口部に進入した後、中間サポートとダンパ部材とが正面衝突した時点では、中間サポート側の磁石とダンパ部材側の磁石との間、又は中間サポート側の磁石とダンパ部材側の磁性体との間、若しくは中間サポート側の磁性体とダンパ部材側の磁石との間には、それぞれ隙間が形成されている請求項３記載のボールねじ装置。
【発明の詳細な説明】
【技術分野】
【０００１】
本発明は、中間サポートを備えたボールねじ装置に関する。
【背景技術】
【０００２】
従来からよく知られているように、ボールねじ装置におけるねじ軸のような丸棒形状のものでは、曲がりによる撓み、自重による撓みが必ずある。
【０００３】
かかる丸棒形状を持ったねじ軸の両端を軸受で支持して回転させ、回転速度を上げて行くと、既述した撓みが大きくなって、遂には上記ねじ軸が破損することがある。
【０００４】
工作機械の軸移動などのようにストロークが長い場合（例えば図１１（特開２０１１-１６７６９９号公報の図２に対応）に示すようなタレットパンチプレスにおいて、ナットから成るキャリッジベース３５を軸受３９で支持されモータ３７で回転するねじ軸４５に螺合させ、該キャリッジベース３５を左右方向（Ｙ軸方向）に移動させる場合）、ねじ軸の支持スパンが長くなるので、従って、危険速度が低くなってしまうという課題がある。
【０００５】
ここに、上記ねじ軸といった回転軸を破損させるような危険な状態になる場合の回転速度を危険速度と称する。
【０００６】
そしてこの課題を解決するための手段としては、例えば実開平０２-４７３６号公報に開示されている一対の中間サポート２０Ａ、２０Ｂがある。
【０００７】
上記一対の中間サポート２０Ａ、２０Ｂは、連結部材２１（図９、図１０（前記実開平０２-４７３６号公報の図１．図２に対応））で連結されていて、ナット２の移動距離Lより短い距離L/2を隔てて配置され、ナット２に押圧されてそれと連動しねじ軸１の軸方向に移動する。
【０００８】
上記一対の中間サポート２０Ａ、２０Ｂは、ねじ軸１に加わる上向き荷重を支持できるために、支持スパンが短くなり危険速度の低下が回避されると共に移動追従性が向上するという作用・効果がある。
【先行技術文献】
【特許文献】
【０００９】
【特許文献１】実開平０２−４７３６号公報
【発明の概要】
【発明が解決しようとする課題】
【００１０】
しかしながら、中間サポート２０Ａ、２０Ｂのナット２に対する移動追従性が良好であるということは、反面では、ナット２がねじ軸１上の所定位置に位置決めされて停止しても、上記中間サポート２０Ａ、２０Ｂが該ナット２から離れて慣性により移動を継続し、ねじ軸１の両端に設けられた軸受５（図９）に衝突することがあるということにもなる。
【００１１】
例えば、ナット２（図９）が左側に移動した場合には、左側の中間サポート２０Ａがナット２に押圧されてそれと連動し、ねじ軸１の軸方向に移動するが、ナット２がねじ軸１上の所定位置に位置決めされて停止しても、該左側の中間サポート２０Ａは該ナット２から離れて慣性により移動を継続して左側の軸受５に衝突し、破損するおそれがある。
【００１２】
そこで、従来は、図９に示すように、ねじ軸１の両端の軸受５にゴム等で形成したダンパ部材３０を設け、上記移動を継続した左側の中間サポート２０をダンパ部材３０に衝突させ、衝撃の緩和が図られている。
【００１３】
ところが、図１２に示すように、前記左側の中間サポート２０Ａがダンパ部材３０へ衝突した後に反対方向へ跳ね返り、今度はナット２と衝突することがある。
【００１４】
その結果、ナット２が振動し、せっかくねじ軸１上の所定位置に位置決めされたナット２の位置がずれてしまい、位置決め精度が低下するという課題がある。
【００１５】
本発明の目的は、ダンパ部材３０に衝突した中間サポート２０Ａ、２０Ｂを該ダンパ部材３０に対して係止させることにより、中間サポート２０Ａ、２０Ｂが反対方向に跳ね返ってねじ軸１上の所定位置に位置決めされたナット２に衝突しないようにして該ナット２の振動を阻止し、該ナット２のねじ軸１上の位置決め精度を向上させることにある。
【課題を解決するための手段】
【００１６】
上記課題を解決するため、本発明は、
両端が軸受５（図９）を介して回転自在に支持されたねじ軸１にナット２が螺合され、該ナット２の軸方向の両側には、連結部材２１で連結された一対の中間サポート２０Ａ、２０Ｂが該ナット２の移動距離Lよりも短い距離L/2を隔てて配設されていてナット２に押圧されてねじ軸１の軸方向に移動するボールねじ装置において、
上記各軸受５のそれぞれにはダンパ部材３０が設けられていると共に、上記中間サポート２０Ａ、２０Ｂのダンパ部材３０側には係止部材４０が設けられ、
中間サポート２０Ａ、２０Ｂの一方又は他方が、ねじ軸１の軸方向に移動した場合に、前記係止部材４０を介して上記一方又は他方の中間サポート２０Ａ又は２０Ｂを上記対応する一方又は他方のダンパ部材３０に係止させるようにしたことを特徴とするボールねじ装置という技術的手段を講じている。
【００１７】
従って、本発明の構成によれば、例えば上記ダンパ部材３０には矩形又は楔形の切欠部３１を設け（図６又は図７）、上記中間サポート２０Ａ、２０Ｂには切欠部３１に対応した位置に楔形又は矩形の係止部材４０を設けることにより、該係止部材４０（図６（B）又は図７（B））が上記ダンパ部材３０の切欠部３１に圧入して係止するので、
上記ナット２(例えば図６（B）)がねじ軸１上の所定位置に位置決めされて停止しても、
中間サポート２０Ａ、２０Ｂの一方又は他方が、上記停止したナット２から離れ、慣性によりねじ軸１の軸方向に移動を継続して対応する一方又は他方のダンパ部材３０に接近した場合に、前記係止部材４０を介して上記一方又は他方の中間サポート２０Ａ又は２０Ｂを上記対応する一方又は他方のダンパ部材３０に係止させ、反対側のナット２に向かって跳ね返らないようすることができる。
【発明の効果】
【００１８】
上記のとおり、本発明によれば、ダンパ部材３０に衝突した中間サポート２０Ａ、２０Ｂを該ダンパ部材３０に対して係止させることにより、中間サポート２０Ａ、２０Ｂが反対方向に跳ね返ってねじ軸１上の所定位置に位置決めされたナット２に衝突しないようにして該ナット２の振動を阻止し、該ナット２のねじ軸１上の位置決め精度を向上させるという効果を奏する。
【図面の簡単な説明】
【００１９】
【図１】本発明による第１実施例の構成を示す斜視図である。
【図２】図１の側面図である。
【図３】本発明を構成するダンパ部材３０を示す図である。
【図４】本発明を構成する係止部材４０を示す図である。
【図５】本発明による第２実施例の構成を示す斜視図である。
【図６】本発明の第１作用説明図である。
【図７】本発明の第２作用説明図である。
【図８】本発明の第３作用説明図である。
【図９】本発明の全体側面図である。
【図１０】図７のＩＩ-ＩＩから見た断面図である
【図１１】本発明の適用例を示す図である。
【図１２】従来技術の説明図である。
【発明を実施するための形態】
【００２０】
以下、本発明を添付図面を参照して、説明する。
図１は、本発明による第１実施例の構成を示す斜視図であり、図２は図１の側面図である。
【００２１】
ねじ軸１はモータＭにより回転自在であって、該ねじ軸１にはナット２が螺合されていると共に、ナット２の前後、即ち、ナット２の軸方向の両側には、図９に示すように、連結部材２１により連結されていてナット２に押圧されて軸方向に移動する一対の中間サポート２０Ａ、２０Ｂが設けられている。
【００２２】
上記一対の中間サポート２０Ａ（図９）、２０Ｂは、従来からよく知られているように、ナット２の移動距離Ｌよりも短い距離、例えばＬ/２だけ隔てて配置されている。
【００２３】
これにより、中間サポート２０Ａ、２０Ｂは、既述したように、ねじ軸１は機械側からの上向き荷重を支持可能となって支持スパンが短くなることにより、ねじ軸１の回転速度を速めても該ねじ軸１が破損することはなく、危険速度を向上させることができる。
【００２４】
一方、前記ねじ軸１の両端は、軸受５に回転自在に支持されており、各軸受５にはダンパ部材３０が設けられている。
【００２５】
これは、既述したように、ねじ軸１（図９）に平行にリニアガイド装置１０を併設し（前記実開平０２-４７３６号公報の実用新案登録請求の範囲）、該リニアガイド装置１０のスライダ１２に前記一対の中間サポート２０Ａ、２０Ｂを設けたことにより、中間サポート２０Ａ、２０Ｂのナット２に対する移動追従性が良好となったので、ナット２が停止しても中間サポート２０Ａ、２０Ｂが慣性で移動することにより軸受５に衝突して破損することがあり、それを回避するために、軸受５に上記ダンパ部材３０を設けて衝撃の緩和が図られているのである。
【００２６】
上記ダンパ部材３０は（図９）、ゴム等の弾性体により構成されていてねじ軸１を支持する軸受５の前方に着脱自在に設けられ、全体としては（図１）円筒形状を有し、内部を前記ねじ軸１が貫通している。
【００２７】
そして、上記ダンパ部材３０の下部には、切欠部３１が形成されており、該切欠部３１はＲ面取りされていて、下方から見ると（図３（Ｂ））矩形形状を有し、    後述するように（図６（Ｂ））、中間サポート２０Ａ、２０Ｂに設けた楔形係止部材４０が圧入し係止するようになっている。
【００２８】
従って、この切欠部３１が設けられているために、正面から見ると（図３（Ａ））上記ダンパ部材３０は、馬蹄形形状を有している。
【００２９】
また、中間サポート２０Ａ、２０Ｂは、全体としては（図１）直方体形状を有し、ダンパ部材３０側には前記ダンパ部材３０の切欠部３１に対応した位置に、係止部材４０が設けられている。
【００３０】
係止部材４０は、図４に示すように、全体として楔形形状を有し、前方と上方が開放されていて、左右の側板４１、４２と底板４３と奥板４４とで構成され、奥板４４が中間サポート２０Ａ（図１）、２０Ｂに固定されている。
【００３１】
例えば中間サポート２０Ａ（図６（Ｂ））に設けられた楔形係止部材４０の先端部（ダンパ部材３０側）の幅（Ｙ軸方向）は、基端部（中間サポート２０Ａ側）の幅よりも小さく、前記ダンパ部材３０の切欠部３１の幅（Ｙ軸方向）は、上記楔形係止部材４０の先端部の幅よりも大きいが、基端部の幅よりも小さい。
【００３２】
従って、ナット２（図６（Ｂ））がねじ軸１上の所定位置に位置決めされて停止しても、前記中間サポート２０Ａがナット２から離れて慣性により移動を継続し、ダンパ部材３０に接近した場合には、楔形係止部材４０の先端部がダンパ部材３０の切欠部３１に挿入した後、両側板４１、４２が切欠部３１の抵抗に抗して圧入し該切欠部３１に係止する。
【００３３】
これにより、本発明によれば、左側の中間サポート２０Ａは係止部材４０を介してダンパ部材３０に係止し、反対側のナット２に向かって跳ね返らないようになるので、ねじ軸１上の所定位置に位置決めされて停止したナット２の振動が阻止されて位置ずれが無くなり、ナット２の位置決め精度が向上する。
【００３４】
このことは、右側の中間サポート２０Ｂについても同様である。
【００３５】
上記図１に示す第１実施例は、ダンパ部材３０側の切欠部３１が矩形形状、中間サポート２０Ａ、２０Ｂ側の係止部材４０が楔形形状の場合であるが、反対の場合、即ち、図７に示すように、上記切欠部３１が楔形形状、上記係止部材４０が矩形形状の場合でも、同様の作用・効果を奏することは勿論である。
【００３６】
図５は、本発明による第２実施例の構成を示す斜視図であり、第１実施例（図１）との相違点は、ダンパ部材３０側には開口部３２、例えば４つの開口部３２Ａ、３２Ｂ、３２Ｃ、３２Ｄが形成されていると共に、各開口部３２Ａ、３２Ｂ、３２Ｃ、３２Ｄには磁石３３Ａ、３３Ｂ、３３Ｃ、３３Ｄが内蔵され、中間サポート２０Ａ、２０Ｂ側には前記ダンパ部材３０側の開口部３２Ａ、３２Ｂ、３２Ｃ、３２Ｄに対応する位置に係止部材４０を構成する磁石４０Ａ、４０Ｂ、４０Ｃ、４０Ｄが設けられている点である。
【００３７】
上記ダンパ部材３０側の開口部３２Ａ、３２Ｂ、３２Ｃ、３２Ｄに内蔵された磁石３３Ａ、３３Ｂ、３３Ｃ、３３Ｄ（以下、ダンパ部材３０側の磁石３３Ａ、３３Ｂ、３３Ｃ、３３Ｄという）と、中間サポート２０Ａ、２０Ｂ側の係止部材４０を構成する磁石４０Ａ、４０Ｂ、４０Ｃ、４０Ｄ（以下、中間サポート２０Ａ、２０Ｂ側の磁石４０Ａ、４０Ｂ、４０Ｃ、４０Ｄという）とは、例えばいずれも棒磁石であって、ほぼ同じ長さを有している。
【００３８】
この場合、上記ダンパ部材３０側の磁石３３Ａ（図５）、３３Ｂ、３３Ｃ、３３Ｄは、後述する軸受５（図９）の周囲であって軸受ハウジング４上に設けられており、各磁石３３Ａ、３３Ｂ、３３Ｃ、３３Ｄは対応する各開口部３２Ａ、３２Ｂ、３２Ｃ、３２Ｄを貫通し、既述したように、そこに内蔵されている。
【００３９】
また、上記磁石３３Ａ（図５）と４０Ａ、磁石３３Ｂと４０Ｂ、磁石３３Ｃと４０Ｃ、磁石３３Ｄと４０Ｄは、一直線上に配置され、且つ互いに反対の磁極が対向している。
【００４０】
例えばダンパ部材３０側の磁石３３Ａ、３３Ｂ、３３Ｃ、３３Ｄは（図８）、Ｓ極が外側（中間サポート２０Ａ側）を向いているとすると、中間サポート２０Ａ側の磁石４０Ａ、４０Ｂ、４０Ｃ、４０Ｄは、Ｎ極が外側（ダンパ部材３０側）を向いている。
【００４１】
従って、前記左側の中間サポート２０Ａが（図８（Ａ））ナット２に押圧されてダンパ部材３０に向かって移動した後、ナット２（図８（Ｂ））がねじ軸１上の所定位置に位置決めされて停止しても、中間サポート２０Ａが慣性により移動を継続してダンパ部材３０に接近した場合には、次のようにして中間サポート２０Ａがダンパ部材３０に係止する。
【００４２】
即ち、中間サポート２０Ａ（図８（B））側の磁石４０Ａ、４０Ｂ、４０Ｃ、４０Ｄがダンパ部材３０側の開口部３２Ａ、３２Ｂ、３２Ｃ、３２Ｄに進入した後、中間サポート２０Ａとダンパ部材３０とが正面衝突すると同時に、中間サポート２０Ａ側の磁石４０Ａとダンパ部材３０側の磁石３３Ａ間等に働く吸引力に基づき、中間サポート２０Ａがダンパ部材３０に係止する。
【００４３】
これにより、本発明によれば、同様に、中間サポート２０Ａは係止部材４０を介してダンパ部材３０に係止し、反対側のナット２に向かって跳ね返らないようになるので、ねじ軸１上の所定位置に位置決めされて停止したナット２の振動が阻止されて位置ずれが無くなり、ナット２の位置決め精度が向上する。
【００４４】
尚、図５の実施例は、中間サポート２０Ａ側とダンパ部材３０側のいずれにも磁石を設けた例であるが、これに限らず、中間サポート２０Ａ側の磁石或いはダンパ部材３０側の磁石のいずれかを、対応する相手方の磁石と吸引する磁性体、好ましくは強磁性体に変えることも可能である。
【００４５】
即ち、ダンパ部材３０側若しくは中間サポート２０Ａ側の磁石は残したままで、相手方の中間サポート２０Ａ側若しくはダンパ部材３０側の磁石を磁性体に変えることも可能であって、例えばダンパ部材３０側を磁石とした場合には、中間サポート２０Ａ側を磁性体とし、中間サポート２０Ａ側を磁石とした場合には、ダンパ部材３０側を磁性体とすることが可能である。
【００４６】
このことは、右側の中間サポート２０Ｂとダンパ部材３０についても同様である。
【００４７】
本発明の全体の構成は、図９、図１０（本発明によるダンパ部材３０と係止部材４０を除くと、既述した実開平０２−４７３６号の図１、図２に対応）に記載されている。
【００４８】
即ち、ねじ軸１（図９）の両端は、機械ベッド３に固定された軸受ハウジング４に取り付けられた軸受５に回転自在に支持され、該ねじ軸１の一方の端部（例えば図９における左方端部）はカップリング６を介して回転駆動装置（モータ）Ｍに連結している。
【００４９】
そして、軸受５には、既述したように、本発明によるゴム等で形成されたダンパ部材３０が着脱自在に設けられ、該ダンパ部材３０には、例えば切欠部３１（図１）が設けられている。
【００５０】
上記ねじ軸１にはナット２が螺合し、該ナット２はナットハウジング７を介して機械テーブル８に取り付けられており、該機械テーブル８は（図１０）その両側（Ｙ軸方向）が機械ベッド３上に施設されたリニアガイド装置１０に滑り結合している。
【００５１】
上記ナット２の前後であってねじ軸１上には、連結部材２１で連結された一対の中間サポート２０Ａ、２０Ｂが取り付けられ、該一対の中間サポート２０Ａ、２０Ｂは、既述したように、ナット２（例えば図６（A））に押圧されて軸方向に移動可能である。
【００５２】
また、一対の中間サポート２０Ａ（図９）、２０Ｂは、それぞれがスライダ１２に取り付けられ、各スライダ１２は機械ベッド３の一段低い面３a(図１０)に施設されたもう一方のリニアガイド装置１０の案内レール１１に滑り結合している（図９）。
【００５３】
そして、中間サポート２０Ａ、２０Ｂのダンパ部材３０側には、本発明による係止部材４０（図１）が設けられている。
【００５４】
以下、上記構成を有する本発明の作用を図６〜図８に基づいて説明する。
【００５５】
（１）  図６（第１作用説明図）の場合。
【００５６】
先ず、モータＭ（図６（A））を駆動してねじ軸１を回転させると、それに螺合しているナット２が例えば左方に移動するので、ナット２は左側の中間サポート２０Ａに当接してそれを押圧する。
【００５７】
これにより、中間サポート２０Ａはナット２に追従して左側に移動する。
【００５８】
次いで、モータＭ（図６（B））を介してねじ軸１の回転を停止させてナット２をねじ軸１上の所定位置に位置決めする。
【００５９】
しかし、ナット２が位置決めされ停止しても、中間サポート２０Ａは慣性により更に左側に移動を継続し、やがてダンパ部材３０に接近する。
【００６０】
そして、中間サポート２０Ａに設けられた楔形係止部材４０の先端部が、ダンパ部材３０側の矩形切欠部３１に挿入し、図示するように、位置（Ｘ軸方向）aで該楔形係止部材４０がその側板４１、４２において矩形切欠部３１に当接する。
【００６１】
このとき、該楔形係止部材４０のほぼ三分の一ほどが矩形切欠部３１内に進入しており、切欠部３１と係止部材４０の幅（Ｙ軸方向）が等しくなった前記当接位置aで、係止部材４０はその側板４１、４２が切欠部３１側からの抵抗に抗して該切欠部３１に圧入され、その位置aで係止する
【００６２】
よって、本発明によれば、中間サポート２０Ａは係止部材４０介してダンパ部材３０に係止し、反対側のナット２に向かって跳ね返らないようになるので、ねじ軸１上の所定位置に位置決めされて停止したナット２の振動が阻止されて位置ずれが無くなり、ナット２の位置決め精度が向上するという作用・効果を奏し、右側の中間サポート２０Ｂについても同様である。
【００６３】
（２）  図７（第２作用説明図）の場合。
【００６４】
同様に、先ず、モータＭ（図７（A））を駆動してねじ軸１を回転させると、それに螺合しているナット２が例えば左方に移動するので、ナット２は左側の中間サポート２０Ａに当接してそれを押圧する。
【００６５】
従って、中間サポート２０Ａはナット２に追従して左側に移動する。
【００６６】
次いで、モータＭ（図７（B））を介してねじ軸１の回転を停止させてナット２を所定位置に位置決めする。
【００６７】
しかし、ナット２が位置決めされて停止しても、中間サポート２０Ａは慣性により更に左側に移動を継続し、やがてダンパ部材３０に接近する。
【００６８】
そして、中間サポート２０Ａに設けられた矩形係止部材４０の先端部が、ダンパ部材３０側の楔形切欠部３１に挿入し、図示するように、位置（Ｘ軸方向）bで該矩形係止部材４０の先端部が楔形切欠部３１に当接する。
【００６９】
このとき、該矩形係止部材４０のほぼ三分の一ほどが楔形切欠部３１内に進入しており、切欠部３１と係止部材４０の幅（Ｙ軸方向）が等しくなった前記当接位置bで、係止部材４０はその側板４１、４２が切欠部３１側からの抵抗に抗して該切欠部３１に圧入され、その位置ｂで係止する
【００７０】
よって、本発明によれば、同様に、中間サポート２０Ａは係止部材４０を介してダンパ部材３０に係止し、反対側のナット２に向かって跳ね返らないようになるので、ねじ軸１上の所定位置に位置決めされて停止したナット２の振動が阻止されて位置ずれが無くなり、ナット２の位置決め精度が向上するという作用・効果を奏し、右側の中間サポート２０Ｂについても同様である。
【００７１】
（３）  図８（第３作用説明図）の場合。
【００７２】
同様に、先ず、モータＭ（図８（A））を駆動してねじ軸１を回転させると、それに螺合しているナット２が例えば左方に移動するので、ナット２は左側の中間サポート２０Ａに当接してそれを押圧する。
【００７３】
従って、中間サポート２０Ａはナット２に追従して左側に移動する。
【００７４】
次いで、モータＭ（図８（B））を介してねじ軸１の回転を停止させてナット２を所定位置に位置決めする。
【００７５】
しかし、ナット２が位置決めされて停止しても、中間サポート２０Ａは慣性により更に左側に移動を継続し、やがてダンパ部材３０に接近する。
【００７６】
そして、中間サポート２０Ａ側の磁石４０Ａ、４０Ｂ、４０Ｃ、４０Ｄが、ダンパ部材３０側の開口部３２Ａ、３２Ｂ、３２Ｃ、３２Ｄに進入した後、図示するように、中間サポート２０Ａとダンパ部材３０とが正面衝突する。
【００７７】
このとき、同時に、中間サポート２０Ａ側の磁石４０Ａとダンパ部材３０側の磁石３３Ａ間等に働く吸引力に基づき、中間サポート２０Ａがダンパ部材３０に係止する。
【００７８】
更に、中間サポート２０Ａとダンパ部材３０とが正面衝突した時点では（図８（B））、ダンパ部材３０側の開口部３２Ａ、３２Ｂ、３２Ｃ、３２Ｄに進入した中間サポート２０Ａ側の磁石４０Ａ、４０Ｂ、４０Ｃ、４０Ｄと、ダンパ部材３０側の磁石３３Ａ、３３Ｂ、３３Ｃ、３３Ｄとの間には隙間cが形成され、これにより磁石といった金属どうしの衝突が回避され衝撃に基づく磁石の脱落と破損が阻止されている。
【００７９】
よって、本発明によれば、同様に、中間サポート２０Ａは係止部材４０を介してダンパ部材３０に係止し、反対側のナット２に向かって跳ね返らないようになるので、ねじ軸１上の所定位置に位置決めされて停止したナット２の振動が阻止されて位置ずれが無くなり、ナット２の位置決め精度が向上するという作用・効果を奏し、右側の中間サポート２０Ｂについても同様である。
【００８０】
尚、実開平０４-１８７５１号公報には、ショックアブソーバーを用いた発明が開示されているが、この発明は振動の減衰を狙ったものであり、ダンパ部材３０（図１）に切欠部３１を形成して中間サポート２０Ａ、２０Ｂ側の係止部材４０を圧入させて係止し反対側のナット２への跳ね返りを阻止し、ナット２の振動を抑えることにより位置ずれを無くすといった本発明の技術的思想とは著しく異なる。
【００８１】
また、磁石を用いた発明が、例えば特開平０７-４４９０号公報に開示されているが、これは、本発明の中間サポート２０Ａ（例えば本願の図８）に相当する軸受ブラケット２２a(同公報の図１（A）)を被移動体であるナット１６と共に移動させ、所定位置（ストッパ２０を設けた位置）で該ナット１６から離すためのものであって、中間サポート２０Ａ（本願の図８（B））側の磁石４０Ａとダンパ部材３０側の磁石３３Ａ間等に働く吸引力に基づき、中間サポート２０Ａがダンパ部材３０に係止することにより、該中間サポート２０Ａが反対のナット２側に跳ね返らないようにするといった本発明の技術的思想とは著しく異なる。
【産業上の利用可能性】
【００８２】
本発明は、ダンパ部材３０に衝突した中間サポート２０Ａ、２０Ｂを該ダンパ部材３０に対して係止させることにより、中間サポート２０Ａ、２０Ｂが反対方向に跳ね返ってねじ軸１上の所定位置に位置決めされたナット２に衝突しないようにして該ナット２の振動を阻止し、該ナット２のねじ軸１上の位置決め精度を向上させるために利用され、極めて有用である。
【符号の説明】
【００８３】
１ ねじ軸
２ ナット
３ 機械ベッド
４ 軸受ハウジング
５  軸受
６ カップリング
７ ナットハウジング
８  機械テーブル
１０  リニアガイド装置
１１  案内レール
１２ スライダ
２０A、20B 中間サポート
２１  連結部材
３０  ダンパ部材
３１  切欠部
４０  係止部材
【図１】
2013221553.tif 000003
【図２】
2013221553.tif 000004
【図３】
2013221553.tif 000005
【図４】
2013221553.tif 000006
【図５】
2013221553.tif 000007
【図６】
2013221553.tif 000008
【図７】
2013221553.tif 000009
【図８】
2013221553.tif 000010
【図９】
2013221553.tif 000011
【図１０】
2013221553.tif 000012
【図１１】
2013221553.tif 000013
【図１２】
2013221553.tif 000014